(57)【要約】  貨幣を処理する貨幣処理機１０は、貨幣の搬送を行う搬送部２５、３５と、搬送部２５、３５に接続され、搬送されてきた貨幣を収納する貨幣収納部４０と、搬送部２５、３５に接続され、搬送されてきた貨幣を収納するとともに、この収納した貨幣を搬送部２５、３５に繰り出すリサイクル式貨幣収納繰出部２７、３４と、搬送部２５、３５およびリサイクル式貨幣収納繰出部２７、３４の制御を行う制御部１５と、を備えている。リサイクル式貨幣収納繰出部２７、３４は第１の管理権限下にあり、貨幣収納部４０は第１の管理権限下とは異なる第２の管理権限下にある。制御部１５は、リサイクル式貨幣収納繰出部２７、３４に収納される貨幣の量が予め設定された設定量に達するときに、リサイクル式貨幣収納繰出部２７、３４に収納された貨幣を貨幣収納部４０へ引き渡す引渡処理を行う。
2010107078.tif 000002
【特許請求の範囲】
【請求項１】
貨幣を処理する貨幣処理機において、
筐体と、
前記筐体の外部から内部に貨幣を投入するための投入口と、
前記投入口に接続され、貨幣の搬送を行う搬送部と、
前記搬送部に設けられ、貨幣の識別を行う識別部と、
前記搬送部に接続され、搬送されてきた貨幣を収納する貨幣収納部と、
前記搬送部に接続され、搬送されてきた貨幣を収納するとともに、この収納した貨幣を前記搬送部に繰り出すリサイクル式貨幣収納繰出部と、
前記識別部の識別結果の計数を行い、前記搬送部および前記リサイクル式貨幣収納繰出部の制御を行う制御部と、
を備え、
前記リサイクル式貨幣収納繰出部は第１の管理権限下にあり、前記貨幣収納部は前記第１の管理権限下とは異なる第２の管理権限下にあり、
前記制御部は、前記リサイクル式貨幣収納繰出部に収納される貨幣の量が予め設定された設定量に達するときに、前記リサイクル式貨幣収納繰出部に収納された前記第１の管理権限下にある貨幣を前記第２の管理権限下にある前記貨幣収納部へ引き渡す引渡処理を行うことを特徴とする貨幣処理機。
【請求項２】
前記筐体の内部から外部に貨幣を投出するための投出口を更に備え、
前記設定量は貨幣の金種毎に設けられており、
前記制御部は、前記筐体の外部から内部に投入された貨幣を前記識別部により識別して前記リサイクル式貨幣収納繰出部に収納する入金処理を行う際に、前記リサイクル式貨幣収納繰出部に収納される貨幣の量が前記設定量を超えると、前記投入口から前記筐体の内部に投入された貨幣の計数終了後に、前記入金処理において前記リサイクル式貨幣収納繰出部に収納された計数済の貨幣を前記投出口に返却する処理を行い、その後、前記投入口から前記筐体の内部に投入され計数された貨幣の投入量と前記リサイクル式貨幣収納繰出部に収納された貨幣の収納量との和が前記設定量を超えるような金種の貨幣の少なくとも一部を、前記貨幣収納部に引き渡す引渡処理を行うことを特徴とする請求項１記載の貨幣処理機。
【請求項３】
前記制御部は、前記引渡処理において、前記投入口から前記筐体の内部に投入され計数された貨幣の投入量と前記リサイクル式貨幣収納繰出部に収納された貨幣の収納量との和から前記設定量を減算した量以上の貨幣を、前記リサイクル式貨幣収納繰出部から前記貨幣収納部に引き渡すことを特徴とする請求項２記載の貨幣処理機。
【請求項４】
前記制御部は、前記リサイクル式貨幣収納繰出部に収納された貨幣の量が前記設定量を超えると、前記引渡処理を行う貨幣の量を自動的に設定することを特徴とする請求項２または３記載の貨幣処理機。
【請求項５】
外部の処理センターと通信接続する通信部を更に備え、
前記制御部は、ある金種の貨幣について前記リサイクル式貨幣収納繰出部に収納された貨幣の量が前記設定量を超えたときにこの情報を前記処理センターに送り、
前記制御部は、前記処理センターからの引渡指令に基づいて前記引渡処理を行うことを特徴とする請求項２乃至４のいずれか一項に記載の貨幣処理機。
【請求項６】
前記制御部は、前記リサイクル式貨幣収納繰出部に収納された貨幣の量が前記設定量を超えると、前記引渡処理を自動的に行うことを特徴とする請求項２乃至４のいずれか一項に記載の貨幣処理機。
【請求項７】
前記制御部は、
（Ａ）前記リサイクル式貨幣収納繰出部に収納された貨幣の量が前記設定量よりも小さい場合には、前記筐体の外部から内部に投入された貨幣を前記リサイクル式貨幣収納繰出部に納金する納金処理を、前記リサイクル式貨幣収納繰出部に収納された貨幣を前記貨幣収納部へ引き渡す引渡処理とは独立して行うような引渡非連動モードで貨幣の処理を行い、
（Ｂ）前記リサイクル式貨幣収納繰出部に収納された貨幣の量が前記設定量に達したときに、前記納金処理を前記引渡処理と連動させて行うような引渡連動モードで貨幣の処理を行うよう制御を行うことを特徴とする請求項１記載の貨幣処理機。
【請求項８】
前記リサイクル式貨幣収納繰出部は貨幣の金種毎に複数設けられており、
前記筐体の外部から内部に取り込まれた貨幣は前記各リサイクル式貨幣収納繰出部に金種毎に収納されるようになっていることを特徴とする請求項７記載の貨幣処理機。
【請求項９】
前記制御部は、前記各リサイクル式貨幣収納繰出部に収納された貨幣の量がそれぞれ予め設定された設定量よりも小さい場合には前記引渡非連動モードで貨幣の処理を行い、前記各リサイクル式貨幣収納繰出部のうち少なくともいずれか１つのリサイクル式貨幣収納繰出部に収納された貨幣の量が前記設定量に達したときに、前記引渡連動モードで貨幣の処理を行うよう制御を行うことを特徴とする請求項７または８記載の貨幣処理機。
【請求項１０】
同一金種の貨幣が複数の前記リサイクル式貨幣収納繰出部に収納されるようになっている場合には、前記設定量は貨幣の金種毎に予め設定されるようになっており、前記制御部は、前記各リサイクル式貨幣収納繰出部のうち一の金種に対応する１または複数のリサイクル式貨幣収納繰出部に収納された貨幣の量の合計値が、当該一の金種に対応する設定量に達したときに、前記引渡連動モードで貨幣の処理を行うよう制御を行うことを特徴とする請求項７または８記載の貨幣処理機。
【請求項１１】
前記制御部は、前記各リサイクル式貨幣収納繰出部のうち少なくともいずれか１つのリサイクル式貨幣収納繰出部に収納された貨幣の量が前記設定量に達したときに、全ての金種の貨幣について前記引渡連動モードで貨幣の処理を行うよう制御を行うことを特徴とする請求項７乃至１０のいずれか一項に記載の貨幣処理機。
【請求項１２】
前記制御部は、前記各リサイクル式貨幣収納繰出部のうち少なくともいずれか１つのリサイクル式貨幣収納繰出部に収納された貨幣の量が前記設定量に達したときに、少なくとも当該リサイクル式貨幣収納繰出部に対応する金種の貨幣について前記引渡連動モードで貨幣の処理を行うよう制御を行うことを特徴とする請求項７乃至１０のいずれか一項に記載の貨幣処理機。
【請求項１３】
前記貨幣処理機は、紙幣処理装置および硬貨処理装置を備え、
前記紙幣処理装置および前記硬貨処理装置は、それぞれリサイクル式貨幣収納繰出部を有し、
前記制御部は、前記紙幣処理装置および前記硬貨処理装置のうちいずれか一方の処理装置において前記リサイクル式貨幣収納繰出部に収納される貨幣の量が予め設定された設定量に達するときに、この処理装置において前記引渡処理を行うよう制御を行うことを特徴とする請求項１乃至１２のいずれか一項に記載の貨幣処理機。
【請求項１４】
貨幣を処理する貨幣処理方法において、
筐体と、前記筐体の外部から内部に貨幣を投入するための投入口と、前記投入口に接続され、貨幣の搬送を行う搬送部と、前記搬送部に設けられ、貨幣の識別を行う識別部と、
前記搬送部に接続され、搬送されてきた貨幣を収納する貨幣収納部と、前記搬送部に接続され、搬送されてきた貨幣を収納するとともに、この収納した貨幣を前記搬送部に繰り出すリサイクル式貨幣収納繰出部と、を備え、前記リサイクル式貨幣収納繰出部は第１の管理権限下にあり、前記貨幣収納部は前記第１の管理権限下とは異なる第２の管理権限下にある貨幣処理機を準備する工程と、
前記リサイクル式貨幣収納繰出部に収納される貨幣の量が予め設定された設定量に達するときに、前記リサイクル式貨幣収納繰出部に収納された前記第１の管理権限下にある貨幣を前記第２の管理権限下にある前記貨幣収納部へ引き渡す引渡処理を行う工程と、
を備えたことを特徴とする貨幣処理方法。
【発明の詳細な説明】
【技術分野】
【０００１】
本発明は、店舗等において売上金等の貨幣の入金処理、釣銭等の貨幣の出金処理、および回収業務を行う収集業者へ売上金等の貨幣を引き渡す引渡処理等を行う貨幣処理機および貨幣処理方法に関する。なお、本明細書における「貨幣」は紙幣であっても硬貨であってもよい。
【背景技術】
【０００２】
従来より、店舗等において売上金等の貨幣の入金処理、釣銭等の貨幣の出金処理、および回収業務を行う収集業者へ売上金等の貨幣を引き渡す引渡処理等を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に返却したりする貨幣リサイクル処理機構と、を備えている。貨幣リサイクル処理機構に収納された貨幣（上部の貨幣）と、貨幣収納部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う収集特定者側にある。よって、貨幣処理機の上部の貨幣に対する入金処理、出金処理、引渡処理等の操作や、上部の貨幣の入出金情報や、収納されている貨幣の金種別枚数データまたは合計金額もしくは金種別金額のデータである在高データへのアクセスは店舗側の権限のある操作者のみが行うことができ、一方、貨幣処理機の下部の貨幣の回収は収集業者の収集特定者のみが行うことができる。このような貨幣処理機としては、例えば特許文献１や特許文献２に開示されるものが知られている。【０００３】
特許文献１には、入金された現金を、店舗の釣銭等として出金される店舗準備金と、金融機関への送金対象となり出金されることのない店舗売上金とを区別して管理する店舗用入出金装置が開示されている。このような店舗用入出金装置において、当該店舗用入出金装置に入金された現金のうち、店舗売上金は警備会社等の回収業者によって回収されるようになっている。【０００４】
特許文献１に開示される店舗用入出金装置では、入金された現金はまず店舗準備金としてリサイクル収納部に収納される。そして、店舗準備金を収納しているリサイクル収納部から店舗売上金を収納しているカセット収納部へ貨幣を搬送する引渡処理が行われると、店舗準備金は店舗売上金へと管理区分が変更される。特許文献１に開示される店舗用入出金装置は、回収業者のセンターに通信回線を介して接続されており、店舗売上金に係るデータを店舗用入出金装置からセンターに送信するようになっている。【０００５】
また、特許文献２には、現金を投入するための現金入金口と、釣銭のための現金を収納する釣銭収納庫と、売上金を収納する現金金庫とを備えた現金管理装置が開示されている。【０００６】
特許文献２に開示される現金管理装置においては、釣銭収納庫に収納する釣銭金種毎の保管基準額が予め設定されている。そして、レジスターから回収した現金を現金入金口に投入したときに、釣銭収納庫へは釣銭金種別に保管基準額の現金を収納し、現金金庫へは保管基準額を超えた現金を収納し、釣銭をリサイクル使用するようになっている。現金金庫に収納された現金は、集配担当者により回収される。
【先行技術文献】
【特許文献】
【０００７】
【特許文献１】特開２００３−１４１６０９号公報
【特許文献２】特開２００５−３８０６２号公報
【発明の開示】
【０００８】
特許文献１に開示される店舗用入出金装置では、入金された現金を引渡処理せずにリサイクル収納部に収納することにより店舗準備金の不足が発生しにくくなる。しかしながら、このような店舗用入出金装置では、リサイクル収納部が満杯になると入金を行うことができなくなるので、管理者等が引渡処理を行う必要がある。また、引渡処理における貨幣の引渡量が多すぎると、釣銭としての貨幣を出金しようとしたときに店舗準備金が不足する場合がある。
【０００９】
また、特許文献２に開示される現金管理装置では、釣銭収納庫の基準額を超える現金を現金金庫へ搬送して引き渡すため、釣銭不足が発生しにくく、釣銭  収納庫が満杯となり入金ができなくなることはない。しかしながら、１回の取引で入金された現金が、釣銭収納庫に収納されたり現金金庫に収納されたりし、現金金庫に収納された現金は出金できないため、入金された現金の返却に対応できないという問題がある。また、現金管理装置への入金中に不具合等で搬送路に現金が残った状態で装置が停止したときには、この現金が本来釣銭収納庫に収納されるべきものか、現金金庫に収納されるべきものかを判断することが難しいという問題がある。
【００１０】
本発明は、このような点を考慮してなされたものであり、リサイクル式貨幣収納繰出部が例えばフル状態等になった場合において貨幣をこれ以上貨幣処理機に入金することができなくなってしまうことを抑制することができるとともに、釣銭として出金する貨幣の量が過多となった際でも、釣銭切れとなってしまうことを抑制することができる貨幣処理機を提供することを目的とする。また、本発明の他の目的は、一の取引において貨幣処理機に不具合が発生した場合であっても、筐体の内部で搬送中の貨幣がどこに収納されるべき貨幣であるかを容易に判断することができる貨幣処理機を提供することにある。また、本発明の更に他の目的は、リサイクル式貨幣収納繰出部にできる限り多くの貨幣を収納するとともに、貨幣の入金処理中にリサイクル式貨幣収納繰出部がフル状態またはニアフル状態となっても、入金された貨幣を一括して収納することができる貨幣処理機および貨幣処理方法を提供することにある。
【００１１】
本発明は、貨幣を処理する貨幣処理機において、筐体と、前記筐体の外部から内部に貨幣を投入するための投入口と、前記投入口に接続され、貨幣の搬送を行う搬送部と、前記搬送部に設けられ、貨幣の識別を行う識別部と、前記搬送部に接続され、搬送されてきた貨幣を収納する貨幣収納部と、前記搬送部に接続され、搬送されてきた貨幣を収納するとともに、この収納した貨幣を前記搬送部に繰り出すリサイクル式貨幣収納繰出部と、前記識別部の識別結果の計数を行い、前記搬送部および前記リサイクル式貨幣収納繰出部の制御を行う制御部と、を備え、前記リサイクル式貨幣収納繰出部は第１の管理権限下にあり、前記貨幣収納部は前記第１の管理権限下とは異なる第２の管理権限下にあり、前記制御部は、前記リサイクル式貨幣収納繰出部に収納される貨幣の量が予め設定された設定量に達するときに、前記リサイクル式貨幣収納繰出部に収納された前記第１の管理権限下にある貨幣を前記第２の管理権限下にある前記貨幣収納部へ引き渡す引渡処理を行うことを特徴とする貨幣処理機である。
【００１２】
このような貨幣処理機によれば、リサイクル式貨幣収納繰出部が例えばフル状態等になった場合において、リサイクル式貨幣収納繰出部に収納された貨幣を貨幣収納部へ引き渡す引渡処理を行うことにより、貨幣をこれ以上貨幣処理機に入金することができなくなってしまうことを抑制することができる。また、このような引渡処理を行う際に、貨幣の管理権限を第１の管理権限下から第２の管理権限下に移すことができる。
【００１３】
本発明の貨幣処理機においては、前記筐体の内部から外部に貨幣を投出するための投出口を更に備え、前記設定量は貨幣の金種毎に設けられており、前記制御部は、前記筐体の外部から内部に投入された貨幣を前記識別部により識別して前記リサイクル式貨幣収納繰出部に収納する入金処理を行う際に、前記リサイクル式貨幣収納繰出部に収納される貨幣の量が前記設定量を超えると、前記投入口から前記筐体の内部に投入された貨幣の計数終了後に、前記入金処理において前記リサイクル式貨幣収納繰出部に収納された計数済の貨幣を前記投出口に返却する処理を行い、その後、前記投入口から前記筐体の内部に投入され計数された貨幣の投入量と前記リサイクル式貨幣収納繰出部に収納された貨幣の収納量との和が前記設定量を超えるような金種の貨幣の少なくとも一部を、前記貨幣収納部に引き渡す引渡処理を行うようになっていてもよい。
【００１４】
このような貨幣処理機によれば、リサイクル式貨幣収納繰出部にできる限り多くの貨幣を収納するとともに、貨幣の入金処理中にリサイクル式貨幣収納繰出部がフル状態またはニアフル状態となっても、入金された貨幣を一括して収納することができる。
【００１５】
この際に、前記制御部は、前記引渡処理において、前記投入口から前記筐体の内部に投入され計数された貨幣の投入量と前記リサイクル式貨幣収納繰出部に収納された貨幣の収納量との和から前記設定量を減算した量以上の貨幣を、前記リサイクル式貨幣収納繰出部から前記貨幣収納部に引き渡すようになっていてもよい。
【００１６】
また、前記制御部は、前記リサイクル式貨幣収納繰出部に収納された貨幣の量が前記設定量を超えると、前記引渡処理を行う貨幣の量を自動的に設定するようになっていてもよい。
【００１７】
また、外部の処理センターと通信接続する通信部を更に備え、前記制御部は、ある金種の貨幣について前記リサイクル式貨幣収納繰出部に収納された貨幣の量が前記設定量を超えたときにこの情報を前記処理センターに送り、前記制御部は、前記処理センターからの引渡指令に基づいて前記引渡処理を行うようになっていてもよい。
【００１８】
あるいは、前記制御部は、前記リサイクル式貨幣収納繰出部に収納された貨幣の量が前記設定量を超えると、前記引渡処理を自動的に行うようになっていてもよい。
【００１９】
本発明の貨幣処理機においては、前記制御部は、（Ａ）前記リサイクル式貨幣収納繰出部に収納された貨幣の量が前記設定量よりも小さい場合には、前記筐体の外部から内部に投入された貨幣を前記リサイクル式貨幣収納繰出部に納金する納金処理を、前記リサイクル式貨幣収納繰出部に収納された貨幣を前記貨幣収納部へ引き渡す引渡処理とは独立して行うような引渡非連動モードで貨幣の処理を行い、（Ｂ）前記リサイクル式貨幣収納繰出部に収納された貨幣の量が前記設定量に達したときに、前記納金処理を前記引渡処理と連動させて行うような引渡連動モードで貨幣の処理を行うよう制御を行うようになっていてもよい。
【００２０】
この場合、予め設定された設定量は、例えば、リサイクル式貨幣収納繰出部が満杯となるような（スタッカフルとなるような）貨幣の量のことをいう。なお、設定量はこのような例に限定されることはなく、代わりに、釣銭として必要な貨幣の量を設定量としてもよい。
【００２１】
上述のような貨幣処理機によれば、リサイクル式貨幣収納繰出部に収納された貨幣の量が予め設定された設定量よりも小さい場合には、納金処理を引渡処理とは独立して行うような引渡非連動モードで貨幣の処理を行い、リサイクル式貨幣収納繰出部に収納された貨幣の量が設定量に達したときに、納金処理を引渡処理と連動させて行うような引渡連動モードで貨幣の処理を行うようになっている。
【００２２】
ここで、一の取引において引渡非連動モードのみで貨幣の処理を行う場合には、貨幣処理機に入金される貨幣の量が過多となった際に（具体的には、例えばリサイクル式貨幣収納繰出部が例えば満杯になった際に）、引渡処理が行われるまで貨幣をこれ以上貨幣処理機に入金することができなくなってしまうという問題がある。一方、一の取引において引渡連動モードのみで貨幣の処理を行う場合には、釣銭として出金する貨幣の量が過多となった際に、釣銭切れとなってしまうという問題がある。
【００２３】
これに対して、上述のような貨幣処理機では、通常は引渡非連動モードで貨幣の処理を行い、リサイクル式貨幣収納繰出部に収納された貨幣の量が予め設定された設定量に達したときに初めて引渡連動モードで貨幣の処理を行うので、リサイクル式貨幣収納繰出部が例えば満杯になった場合において貨幣をこれ以上貨幣処理機に入金することができなくなってしまうことを抑制することができるとともに、釣銭として出金する貨幣の量が過多となった場合でも釣銭切れとなってしまうことを抑制することができる。また、上述のような貨幣処理機では、貨幣をリサイクル式貨幣収納繰出部に収納するか貨幣収納部に引き渡すかは取引単位で決められるようになっており、このため一の取引において貨幣の搬送先は全て貨幣収納部またはリサイクル式貨幣収納繰出部のうちいずれか一方となるので、貨幣処理機に不具合が発生した場合であっても筐体の内部で搬送中の貨幣がどこに収納されるべき貨幣であるかを容易に判断することができる。
【００２４】
上述のような貨幣処理機においては、前記リサイクル式貨幣収納繰出部は貨幣の金種毎に複数設けられており、前記筐体の外部から内部に取り込まれた貨幣は前記各リサイクル式貨幣収納繰出部に金種毎に収納されるようになっていてもよい。
【００２５】
この場合、前記制御部は、前記各リサイクル式貨幣収納繰出部に収納された貨幣の量がそれぞれ予め設定された設定量よりも小さい場合には前記引渡非連動モードで貨幣の処理を行い、前記各リサイクル式貨幣収納繰出部のうち少なくともいずれか１つのリサイクル式貨幣収納繰出部に収納された貨幣の量が前記設定量に達したときに、前記引渡連動モードで貨幣の処理を行うよう制御を行うようになっていてもよい。
【００２６】
また、同一金種の貨幣が複数の前記リサイクル式貨幣収納繰出部に収納されるようになっている場合には、前記設定量は貨幣の金種毎に予め設定されるようになっており、前記制御部は、前記各リサイクル式貨幣収納繰出部のうち一の金種に対応する１または複数のリサイクル式貨幣収納繰出部に収納された貨幣の量の合計値が、当該一の金種に対応する設定量に達したときに、前記引渡連動モードで貨幣の処理を行うよう制御を行うようになっていてもよい。
【００２７】
また、前記制御部は、前記各リサイクル式貨幣収納繰出部のうち少なくともいずれか１つのリサイクル式貨幣収納繰出部に収納された貨幣の量が前記設定量に達したときに、全ての金種の貨幣について前記引渡連動モードで貨幣の処理を行うよう制御を行うようになっていてもよい。
【００２８】
あるいは、前記制御部は、前記各リサイクル式貨幣収納繰出部のうち少なくともいずれか１つのリサイクル式貨幣収納繰出部に収納された貨幣の量が前記設定量に達したときに、少なくとも当該リサイクル式貨幣収納繰出部に対応する金種の貨幣について前記引渡連動モードで貨幣の処理を行うよう制御を行うようになっていてもよい。
【００２９】
上述のような貨幣処理機においては、前記貨幣処理機は、紙幣処理装置および硬貨処理装置を備え、前記紙幣処理装置および前記硬貨処理装置は、それぞれリサイクル式貨幣収納繰出部を有し、前記制御部は、前記紙幣処理装置および前記硬貨処理装置のうちいずれか一方の処理装置において前記リサイクル式貨幣収納繰出部に収納される貨幣の量が予め設定された設定量に達するときに、この処理装置において前記引渡処理を行うよう制御を行うようになっていてもよい。
【００３０】
本発明は、貨幣を処理する貨幣処理方法において、筐体と、前記筐体の外部から内部に貨幣を投入するための投入口と、前記投入口に接続され、貨幣の搬送を行う搬送部と、前記搬送部に設けられ、貨幣の識別を行う識別部と、前記搬送部に接続され、搬送されてきた貨幣を収納する貨幣収納部と、前記搬送部に接続され、搬送されてきた貨幣を収納するとともに、この収納した貨幣を前記搬送部に繰り出すリサイクル式貨幣収納繰出部と、を備え、前記リサイクル式貨幣収納繰出部は第１の管理権限下にあり、前記貨幣収納部は前記第１の管理権限下とは異なる第２の管理権限下にある貨幣処理機を準備する工程と、前記リサイクル式貨幣収納繰出部に収納される貨幣の量が予め設定された設定量に達するときに、前記リサイクル式貨幣収納繰出部に収納された前記第１の管理権限下にある貨幣を前記第２の管理権限下にある前記貨幣収納部へ引き渡す引渡処理を行う工程と、を備えたことを特徴とする貨幣処理方法である。
【００３１】
このような貨幣処理方法によれば、リサイクル式貨幣収納繰出部が例えばフル状態等になった場合において、リサイクル式貨幣収納繰出部に収納された貨幣を貨幣収納部へ引き渡す引渡処理を行うことにより、貨幣をこれ以上貨幣処理機に入金することができなくなってしまうことを抑制することができる。また、このような引渡処理を行う際に、貨幣の管理権限を第１の管理権限下から第２の管理権限下に移すことができる。
【図面の簡単な説明】
【００３２】
【図１Ａ】本発明の一の実施の形態における貨幣入出金処理システムの構成を示すブロック図である。
【図１Ｂ】本発明の一の実施の形態における貨幣入出金処理システムの他の構成を示すブロック図である。
【図２】図１Ａや図１Ｂに示す貨幣入出金処理システムにおける貨幣処理機を示す斜視図である。
【図３Ａ】図２に示す貨幣処理機における紙幣処理装置の構成の概略を示す概略構成図である。
【図３Ｂ】図２に示す貨幣処理機における硬貨処理装置の構成の概略を示す概略構成図である。
【図４】図２に示す貨幣処理機における制御ブロック図である。
【図５】図２に示す貨幣処理機の紙幣処理装置における引渡非連動モードでの納金処理の動作を示す説明図である。
【図６Ａ】図２に示す貨幣処理機の紙幣処理装置における引渡連動モードでの納金処理の動作を示す説明図である。
【図６Ｂ】図２に示す貨幣処理機の紙幣処理装置における引渡連動モードでの引渡処理の動作を示す説明図である。
【図６Ｃ】図２に示す貨幣処理機の紙幣処理装置における引渡連動モードでの引渡処理の動作を示す説明図である。
【図７Ａ】図２に示す貨幣処理機の紙幣処理装置における他の処理方法を示す説明図である。
【図７Ｂ】図２に示す貨幣処理機の紙幣処理装置における他の処理方法を示す説明図である。
【図７Ｃ】図２に示す貨幣処理機の紙幣処理装置における他の処理方法を示す説明図である。
【図７Ｄ】図２に示す貨幣処理機の紙幣処理装置における他の処理方法を示す説明図である。
【図７Ｅ】図２に示す貨幣処理機の紙幣処理装置における他の処理方法を示す説明図である。
【図７Ｆ】図２に示す貨幣処理機の紙幣処理装置における他の処理方法を示す説明図である。
【発明を実施するための形態】
【００３３】
以下、図面を参照して本発明の一の実施の形態の貨幣処理機について説明する。本実施の形態に係る貨幣処理機は、収集特定者側に管理権限がある貨幣収納部と、店舗側に管理権限がある貨幣リサイクル処理機構とを１つの筐体内に有するものである。
【００３４】
本実施の形態に係る貨幣処理機は、硬貨および紙幣からなる貨幣の補充処理、納金処理、出金処理、引渡処理、大量引渡処理、両替処理、逆両替処理、精査処理、計数処理、締め処理、締め連動引渡処理、警備回収処理等を行う機能を有するものである。図１乃至図６は、本発明の一の実施の形態における貨幣処理機およびこの貨幣処理機を備えた貨幣入出金処理システムを示す図である。このうち、図１Ａは、本実施の形態の貨幣入出金処理システムの構成を示すブロック図であり、図１Ｂは、本実施の形態における貨幣入出金処理システムの他の構成を示すブロック図である。また、図２は、図１Ａや図１Ｂに示す貨幣入出金処理システムにおける貨幣処理機を示す斜視図である。また、図３Ａは、図２に示す貨幣処理機における紙幣処理装置の構成の概略を示す概略構成図であり、図３Ｂは、図２に示す貨幣処理機における硬貨処理装置の構成の概略を示す概略構成図である。また、図４は、図２に示す貨幣処理機における制御ブロック図である。また、図５は、図２に示す貨幣処理機の紙幣処理装置における引渡非連動モードでの納金処理の動作を示す説明図である。また、図６Ａ〜図６Ｃは、図２に示す貨幣処理機の紙幣処理装置における引渡連動モードでの納金処理および引渡処理の一連の動作を示す説明図である。
【００３５】
図１Ａに示すように、本実施の形態の貨幣入出金処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。
【００３６】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。
【００３７】
本実施の形態の貨幣入出金処理システムの構成は図１Ａに示すようなものに限定されることはなく、代わりに図１Ｂに示すようなものとすることもできる。図１Ｂに示すような貨幣入出金処理システムは、貨幣処理機１０と、この貨幣処理機１０からそれぞれ隔離して店舗外に設けられた現金センター１３およびデータセンター１４とを備えている点では図１Ａに示す貨幣入出金処理システムと略同一の構成となっているが、この貨幣処理機１０に設けられるコントローラ１７は機能の拡張性の高いコントローラとなっている。
【００３８】
コントローラ１７は、現金センター１３およびデータセンター１４にそれぞれ有線または無線により通信接続されており、現金センター１３およびデータセンター１４に対してそれぞれ信号の送受信を行うようになっている。
【００３９】
図１Ｂに示す貨幣入出金処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。
【００４０】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。
【００４１】
次に、図１Ａや図１Ｂに示す貨幣処理機１０の構成の詳細について図２乃至図４を用いて説明する。
【００４２】
図２Ａに示すように、貨幣処理機１０は略直方体形状の筐体１１を備えており、この筐体１１には、貨幣処理機１０を前方から見て右側に配置された紙幣処理装置２０と、左側に配置された硬貨処理装置３０とがそれぞれ左右に並ぶよう設けられている。また、貨幣処理機１０の筐体１１において、紙幣処理装置２０および硬貨処理装置３０の下方には、硬貨および紙幣の収納を行う貨幣収納部４０が設けられている。ここで、貨幣処理機１０のうち紙幣処理装置２０や硬貨処理装置３０は店舗側の管理権限下（第１の管理権限下）にあり、貨幣収納部４０は収集特定者側の管理権限下（第２の管理権限下）にある。
【００４３】
以下、紙幣処理装置２０、硬貨処理装置３０および貨幣収納部４０の各構成要素について説明する。
【００４４】
まず、紙幣処理装置２０の構成について図２および図３Ａを用いて説明する。図２および図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図３Ａに示すように、紙幣処理装置２０の内部には、紙幣投入口２１に投入された紙幣を紙幣処理装置２０内で搬送する搬送部２５が設けられている。
【００４５】
紙幣投入口２１は、操作者により１または束状態の複数の紙幣が短手方向に一括して投入されるよう構成されている。図２に示すように、この紙幣投入口２１には紙幣ステージ２８が配設されている。この紙幣ステージ２８は、待機時には上昇位置にありこの際には操作者は紙幣投入口２１に紙幣を投入することができず、一方、紙幣の処理時には下降して操作者が紙幣投入口２１に紙幣を投入することができるように構成されている。図３Ａに示すように、紙幣投入口２１は搬送部２５に接続されており、紙幣投入口２１に投入された１または束状態の複数の紙幣は、１枚ずつ搬送部２５で搬送されるようになっている。
【００４６】
紙幣リジェクト口２２は、図３Ａに示すように搬送部２５に接続されており、紙幣投入口２１から紙幣処理装置２０内に取り込まれた紙幣のうち後述する識別部２６によりリジェクトすべき紙幣であると識別された紙幣が搬送部２５から送られるようになっている。操作者はこの紙幣リジェクト口２２に送られた紙幣を取り出すことができるようになっている。また、紙幣リジェクト口２２は、釣銭等を出金するための出金口を兼ねている。紙幣リジェクト口２２にはカバー（図示せず）が設けられており、待機時にはこのカバーは開状態となっており、処理時にはこのカバーは閉状態となる。
【００４７】
紙幣返却口２３には、図３Ａに示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。
【００４８】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５は、紙幣投入口２１に投入された紙幣を紙幣リジェクト口２２、紙幣保留部２９または後述するリサイクル式紙幣収納部２７に搬送したり、あるいはリサイクル式紙幣収納部２７に一時的に収納された紙幣を紙幣リジェクト口２２や紙幣保留部２９に搬送したりするよう構成されている。
【００４９】
図３Ａに示すように、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られて計数されて記憶されるようになっている。
【００５０】
紙幣処理装置２０の内部には、リサイクル式紙幣収納部２７が複数（例えば３つ）並列に設けられている。ここで、複数のリサイクル式紙幣収納部２７ａ〜２７ｃは、概して金種別に用いられるようになっており、例えば日本円に係る紙幣を紙幣処理装置２０に処理させる場合には、千円札、５千円札、１万円札をそれぞれリサイクル式紙幣収納部２７ａ〜２７ｃに収納させるようになっている。場合によっては、リサイクル式紙幣収納部２７ｂに、２千円札と５千円札とを混合で収納する。なお、米ドル（１ドル札、２ドル札、５ドル札、１０ドル札、２０ドル札、５０ドル札、１００ドル札等）や人民元（１元札、５元札、１０元札、２０元札、５０元札、１００元札等）に係る紙幣を紙幣処理装置２０に処理させる場合には、これらの通貨に係る紙幣の金種は３つよりも多いため、リサイクル式紙幣収納部２７の数を増やすか、あるいはリサイクル式紙幣収納部２７に収納されるべき紙幣の金種を限定するようになっている。図３Ａに示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７ａに送られた紙幣は、この一対のテープの間に挟まれた状態で１枚ずつ順次ドラム２７ｐにより巻き取られて収納される。
【００５１】
更に詳しく説明すると、各ドラム２７ｐは、図３Ａの紙面に直交する軸を中心として図３Ａの時計回りおよび反時計回りの両方向に回転するようになっている。各ドラム２７ｐの外周面には、それぞれ、一対のテープの各端部が各々同じ箇所で取り付けられており、各ドラム２７ｐが図３Ａの反時計回りに回転することにより一対のテープがドラム２７ｐに巻き取られるようになっている。このドラム２７ｐの駆動は後述する制御部１５により制御されるようになっている。そして、搬送部２５から各リサイクル式紙幣収納部２７に送られた紙幣は、一対のテープの間に挟持され、各ドラム２７ｐが図３Ａの反時計回りに回転することによりこの紙幣は一対のテープごと各ドラム２７ｐに１枚ずつ巻き取られるようになっている。この際に、複数の紙幣は間隔をおいて１枚ずつ各ドラム２７ｐに巻き取られて収納されることとなる。一方、各ドラム２７ｐが図３Ａの時計回りに回転することにより、各ドラム２７ｐに巻き取られた一対のテープがこのドラム２７ｐから解放され、各リサイクル式紙幣収納部２７に収納された紙幣は１枚ずつ繰り出され搬送部２５に送られる。
【００５２】
なお、各リサイクル式紙幣収納部２７は、上述のような、ドラムおよび一対のテープからなり紙幣が一対のテープの間に挟まれた状態でこの一対のテープごとドラムにより巻き取られるような構成に限定されることはなく、他の構成とすることもできる。例えば、各リサイクル式紙幣収納部２７をスタッカ式（積層式）のものとしてもよい。
【００５３】
紙幣保留部２９は、前述のように紙幣返却口２３に設けられており、図３Ａに示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９の底面には開閉が可能な底板が設けられ、底板に載せられるようになっている。紙幣保留部２９に搬送された紙幣を紙幣収納カセット４１に収納させる際には、この紙幣収納カセット４１に設けられたステージ上昇し、ステージ上の紙幣の上面が紙幣保留部２９の底板のすぐ下まで移動する。そして、底板が水平に移動して開き、紙幣保留部２９内の紙幣はステージ上の紙幣の上に落下する。そして、ステージ上の紙幣を上から押さえ部材で押さえた状態で、ステージが下降し、紙幣を紙幣収納カセット４１へ収納するようになっている。このようにして、紙幣が貨幣収納部４０へ搬送される。
【００５４】
次に、硬貨処理装置３０の構成について図２および図３Ｂを用いて説明する。図２および図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したりする硬貨返却口３２とを備えている。また、図３Ｂに示すように、硬貨処理装置３０の内部には、硬貨投入口３１に投入された硬貨を硬貨処理装置３０内で搬送する搬送部３５が設けられている。
【００５５】
硬貨投入口３１は、操作者により１または複数の硬貨が一括して投入されるよう構成されている。この硬貨投入口３１に投入された硬貨は、硬貨処理装置３０の内部に送られるようになっている。
【００５６】
硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られるようになっており、このような硬貨が硬貨返却口３２により硬貨処理装置３０の外部に返却されるようになっている。
【００５７】
図３Ｂに示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。硬貨繰出部３３には硬貨繰出用の回転円板（図示せず）が設置されており、この回転円板により硬貨が１枚ずつ搬送部３５に繰り出されるようになっている。
【００５８】
搬送部３５は、硬貨処理装置３０の内部で硬貨を１枚ずつ順次搬送する機能を有している。具体的には、搬送部３５において、硬貨は硬貨搬送ベルト（図示せず）によりやや斜めに立った状態で１枚ずつ間隔をおいて搬送されるようになっている。図３Ｂに示すように、搬送部３５の上流側端部および下流側端部は、硬貨繰出部３３および硬貨返却口３２にそれぞれ接続されている。
【００５９】
図３Ｂに示すように、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。具体的には、識別部３５ａは、磁気センサや光学センサを有し、これらのセンサにより硬貨の金種や真偽等を１枚ずつ識別するようになっている。識別部３５ａによる紙幣の識別結果は後述する制御部１５に送られて計数されて記憶されるようになっている。
【００６０】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種別に用いられるようになっており、例えば日本円に係る硬貨を硬貨処理装置３０に処理させる場合には、１円硬貨、５円硬貨、１０円硬貨、５０円硬貨、１００円硬貨、５００円硬貨をそれぞれリサイクル式硬貨収納部３４ａ〜３４ｆに収納させるようになっている。なお、米ドル（１セント硬貨、５セント硬貨、１０セント硬貨、２５セント硬貨、５０セント硬貨、１ドル硬貨等）や人民元（１分硬貨、２分硬貨、５分硬貨、１角硬貨、５角硬貨、１元硬貨等）に係る硬貨を硬貨処理装置３０に処理させる場合には、これらの通貨の金種に対応するリサイクル式硬貨収納部３４がそれぞれ設けられている。各リサイクル式硬貨収納部３４には硬貨が積層状態で収納されるようになっている。
【００６１】
図３Ｂに示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。
【００６２】
図３Ｂに示すように、鉛直方向にそれぞれ延びる各リサイクル式硬貨収納部３４の上部には、硬貨を一時的に保留する金種別硬貨一時保留部３９が設けられている。上述する各選別孔３６を介して搬送部３５から落下した硬貨は、まず金種別硬貨一時保留部３９により一時的に保留されるようになっている。この金種別硬貨一時保留部３９は、各々の金種の硬貨をそれぞれ例えば約１０枚保留することができるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出す（繰り出す）こともできるようになっている。
【００６３】
一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。
【００６４】
図３Ｂに示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。
【００６５】
図３Ｂに示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。この循環ベルト３８ａは同じ高さレベルに設置された２つのプーリに掛けられており、一方のプーリが正逆両方向に回転駆動されることにより循環ベルト３８ａは図３Ｂの時計回りおよび反時計回りの両方に循環移動可能となっている。横方向搬送部３８の一端は硬貨繰出部３３内に位置しており、横方向搬送部３８の他端はシュート３７ｂの上部の近傍に位置している。前述のように、横方向搬送部３８の循環ベルト３８ａは正逆両方向に回転することができるようになっており、循環ベルト３８ａが図３Ｂにおける反時計回りに回転したときには、横方向搬送部３８上にある硬貨は硬貨繰出部３３に送られるようになっている。一方、循環ベルト３８ａが図３Ｂにおける時計回りに回転したときには、横方向搬送部３８上にある硬貨はシュート３７ｂに送られ、最終的には硬貨保留部３７ａで保留されることとなる。
【００６６】
次に、貨幣処理機１０に設けられた他の様々な機構について説明する。図２に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００６７】
また、筐体１１の前面には、貨幣処理機１０における貨幣の処理内容等を印字するプリンタ４３、および操作者の操作権限の確認を行うためのカードリーダ４６がそれぞれ設けられている。
【００６８】
また、図２等に示すように、貨幣処理機１０の筐体１１の下部には貨幣収納部４０が設けられている。この貨幣収納部４０は、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっており、硬貨収納カセット４２には、硬貨処理装置３０の硬貨保留部３７ａに保留された硬貨が収納されるようになっている。そして、例えば売上金の回収業務を委託された収集業者の収集特定者によって、貨幣収納部４０の各カセット４１、４２が筐体１１の前面側へ引き出され、この収集特定者が各カセット４１、４２自体を回収するようになっている。
【００６９】
ここで、前述のように、紙幣処理装置２０や硬貨処理装置３０は店舗側に管理権限（第１の管理権限）がある。一方、貨幣収納部４０は収集特定者側に管理権限（第２の管理権限）がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０にある紙幣や硬貨の回収は収集特定者のみが行うことができる。
【００７０】
次に、貨幣処理機１０における各構成要素の制御を行う制御部１５について図４を用いて説明する。制御部１５は貨幣処理機１０の筐体１１内に設置されている。
【００７１】
図４に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、表示部４４、操作部４５、プリンタ４３、カードリーダ４６等が接続されている。また、制御部１５にはインターフェースを介してコントローラ１２（１７）が接続されている。
【００７２】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。制御部１５は、貨幣処理機１０の操作が行われる際は操作部４５やカードリーダ４６から入力された操作者のＩＤ情報をもとに操作者の権限の確認を行う。なお、権限はカードに付された権限により確認してもよい。また、制御部１５は、紙幣処理装置２０や硬貨処理装置３０の各構成要素を制御したり、表示部４４、プリンタ４３を制御したりするようになっている。
【００７３】
コントローラ１２（１７）は、貨幣処理機１０の紙幣処理装置２０、硬貨処理装置３０および貨幣収納部４０のそれぞれに対して信号の送受信を行うようになっている。このような信号の送受信は制御部１５を介して行われる。
【００７４】
中央制御装置を構成する現金センター１３またはデータセンター１４は、コントローラ１２（１７）を介して、貨幣処理機１０に対して当該貨幣処理機１０の各種処理に係る指令の信号を送信するようになっている。具体的には、現金センター１３は貨幣処理機１０に対して、締め命令、引渡命令、締め連動引渡命令、警備回収命令、納金命令、出金命令、補充命令、精算命令、両替命令、逆両替命令、枚数計数命令、リセット命令、確定命令、スタート命令、ロック解除命令、およびプログラムダウンロード命令からなる群のうち少なくとも１つの命令に係る信号を送信するようになっている。
【００７５】
また、中央制御装置を構成する現金センター１３またはデータセンター１４は、コントローラ１２（１７）を介して、貨幣処理機１０から当該貨幣処理機１０における貨幣の処理状況に係る情報の信号を受信するようになっている。具体的には、データセンター１４は、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を貨幣処理機１０から受信するようになっている。
【００７６】
次に、このような構成からなる貨幣処理機１０の動作について説明する。
【００７７】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００７８】
インターフェース確認モードとは、貨幣処理機１０の初期状態において、すなわち貨幣処理機１０が導入された際に、インターフェースにより貨幣処理機１０が上位装置等に通信接続されるか否かを確認するためのモードである。このようなインターフェース確認モードにおいて、インターフェースにより貨幣処理機１０が上位装置等に通信接続されたときには、上位装置等から貨幣処理機１０に様々な設定データが送られる。
【００７９】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する補充処理、納金処理、出金処理、引渡処理、大量引渡処理、両替処理、逆両替処理、精査処理、計数処理、締め処理、締め連動引渡処理等を行うことができる。また、この開店モードにおいては、例えば売上金の回収業務を委託された収集業者の収集特定者によって、貨幣収納部４０の各カセット４１、４２自体の回収を行うこともできる（警備回収処理）。一方、閉店モードにおいては、収集特定者による貨幣収納部４０の各カセット４１、４２の回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０内に設けられた記憶媒体（図示せず）に記憶されることとなる。上述の各モードの選択は、操作者が操作部４５により選択することができる。
【００８０】
保守メンテナンスモードの際に、保守員が貨幣処理機１０の紙幣処理装置２０や硬貨処理装置３０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００８１】
上述した補充処理、納金処理、出金処理、引渡処理、大量引渡処理、両替処理、逆両替処理、精査処理、計数処理、締め処理、締め連動引渡処理、警備回収処理の各処理のうち、納金処理および引渡処理について以下に説明する。以下に示す各処理は、制御部１５が各構成要素を制御することにより行われる。ここで、制御部１５は、納金処理を引渡処理とは独立して行うような引渡非連動モード、および納金処理を引渡処理と連動させて行うような引渡連動モードのうちいずれか一方のモードで貨幣の処理を行うようになっている。また、以下に示す納金処理および引渡処理の各々は、操作者により操作部４５を介して制御部１５に対して各種の命令がなされることにより、あるいは現金センター１３またはデータセンター１４からコントローラ１２（１７）を介して制御部１５に対して各種の命令がなされることにより行われる。
【００８２】
まず、紙幣や硬貨の納金処理について説明する。ここで、紙幣や硬貨の納金処理とは、筐体１１の外部から内部に取り込まれた紙幣を金種別に紙幣処理装置２０の各リサイクル式紙幣収納部２７に納金したり、筐体１１の外部から内部に取り込まれた硬貨を金種別に硬貨処理装置３０の各リサイクル式硬貨収納部３４に納金したりする処理のことをいう。紙幣や硬貨の納金処理が行われた場合には、筐体１１の外部から内部に取り込まれた紙幣や硬貨は第１の管理権限下（店舗側の管理権限下）にある。
【００８３】
次に、紙幣や硬貨の出金処理について説明する。ここで、紙幣や硬貨の出金処理とは、紙幣処理装置２０の各リサイクル式紙幣収納部２７に収納された紙幣を当該紙幣処理装置２０の外部に出したり、硬貨処理装置３０の各リサイクル式硬貨収納部３４に収納された硬貨を当該硬貨処理装置３０の外部に出したりする処理のことをいう。この際に、操作部４５により入力された金額または金種毎の枚数の貨幣を筐体１１の外部に投出する。そして、各リサイクル式紙幣収納部２７や各リサイクル式硬貨収納部３４における紙幣や硬貨の在高は、出金処理が行われた紙幣や硬貨の金額分だけ減少する。
【００８４】
次に、紙幣や硬貨の引渡処理について説明する。ここで、紙幣や硬貨の引渡処理とは、紙幣処理装置２０の各リサイクル式紙幣収納部２７に収納された紙幣を貨幣収納部４０の紙幣収納カセット４１に送ったり、硬貨処理装置３０の各リサイクル式硬貨収納部３４に収納された硬貨を貨幣収納部４０の硬貨収納カセット４２に送ったりする処理のことをいう。このような引渡処理が行われると、各リサイクル式紙幣収納部２７や各リサイクル式硬貨収納部３４から貨幣収納部４０に送られた紙幣や硬貨は第１の管理権限下から第２の管理権限下に変更される。そして、各リサイクル式紙幣収納部２７や各リサイクル式硬貨収納部３４における紙幣や硬貨の在高は、引渡処理が行われた紙幣や硬貨の金額分だけ減少し、一方、貨幣収納部４０の紙幣収納カセット４１や硬貨収納カセット４２における紙幣や硬貨の在高は、引渡処理が行われた紙幣や硬貨の金額分だけ増加する。
【００８５】
以下、制御部１５が引渡非連動モードで貨幣の処理を行う場合について説明する。この場合、前述のような納金処理を引渡処理とは独立して行う。
【００８６】
まず、制御部１５が引渡非連動モードで貨幣の処理を行う場合の紙幣処理装置２０における紙幣の納金処理について図５を用いて以下に説明する。
【００８７】
例えば操作者により操作部４５を介して紙幣の納金処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図５に示すように、識別部２６により正常な紙幣であると識別された場合には、この紙幣は搬送部２５により当該紙幣の金種に対応するリサイクル式紙幣収納部２７に送られる。一方、図５に示すように、識別部２６により損券や偽札等のリジェクト紙幣であると識別された場合は、この紙幣は搬送部２５により紙幣リジェクト口２２に送られる。上述のような紙幣の処理が行われる際に、識別部２６により紙幣の計数が行われる。
【００８８】
なお、上述のような紙幣の納金処理が行われた後、釣銭計数処理が行われる場合がある。釣銭計数処理とは、納金時に釣銭を出金する必要がある場合に、釣銭をリサイクル式紙幣収納部２７から出金する処理のことをいう。具体的には、顧客から預かった金を操作者が貨幣処理機１０に納金したときに、釣銭を出金する必要がある場合には納金額から品物の価格を差し引いた釣銭分の貨幣を払い出すこととなる。この際の釣銭の貨幣処理機１０からの出金処理のことを釣銭計数処理という。さらに詳細には、各リサイクル式紙幣収納部２７に収納された紙幣が搬送部２５により識別部２６を経て紙幣リジェクト口２２に送られることにより釣銭としての紙幣の出金が行われる。
【００８９】
制御部１５が引渡非連動モードで貨幣の処理を行う場合の硬貨処理装置３０における硬貨の納金処理でも、上述のような紙幣処理装置２０における紙幣の納金処理と同様に、筐体１１の外部から内部に投入された硬貨が金種別に各リサイクル式硬貨収納部３４内に収納されるようになっている。
【００９０】
ここで、上述のような引渡非連動モードで貨幣の処理を行っている間に、紙幣処理装置２０における各リサイクル式紙幣収納部２７のうち少なくともいずれか１つのリサイクル式紙幣収納部２７に収納された紙幣の量が予め設定された設定量に達したときに、あるいは、硬貨処理装置３０における各リサイクル式硬貨収納部３４のうち少なくともいずれか１つのリサイクル式硬貨収納部３４に収納された硬貨の量が予め設定された設定量に達したときに、紙幣処理装置２０や硬貨処理装置３０において、制御部１５は引渡連動モードで紙幣や硬貨の処理を行うようになる。ここで、予め設定された設定量は、例えば、各リサイクル式紙幣収納部２７や各リサイクル式硬貨収納部３４が満杯となるような（スタッカフルとなるような）紙幣や硬貨の量のことをいう。なお、設定量はこのような例に限定されることはなく、代わりに、釣銭として必要な紙幣や硬貨の量や任意の量を設定量としてもよい。
【００９１】
この際に、制御部１５は、紙幣処理装置２０の各リサイクル式紙幣収納部２７のうち少なくともいずれか１つのリサイクル式紙幣収納部２７に収納された紙幣の量が設定量に達したときに、全ての金種の紙幣について引渡連動モードで紙幣の処理を行う。また、制御部１５は、硬貨処理装置３０の各リサイクル式硬貨収納部３４のうち少なくともいずれか１つのリサイクル式硬貨収納部３４に収納された硬貨の量が設定量に達したときに、全ての金種の硬貨について引渡連動モードで硬貨の処理を行う。
【００９２】
なお、制御部１５は、紙幣処理装置２０および硬貨処理装置３０のうちいずれか一方の処理装置（例えば、紙幣処理装置２０）において各リサイクル式紙幣収納部２７のうち少なくともいずれか１つのリサイクル式紙幣収納部２７に収納された紙幣の量が設定量に達したときには、紙幣処理装置２０では引渡連動モードで紙幣の処理を行うが、他方の処理装置（例えば、硬貨処理装置３０）において各リサイクル式硬貨収納部３４に収納された硬貨の量が設定量よりも小さい場合には、硬貨処理装置３０では引渡非連動モードで硬貨の処理を行うようになっている。
【００９３】
また、同一金種の紙幣や硬貨が複数のリサイクル式紙幣収納部２７やリサイクル式硬貨収納部３４に収納されるようになっている場合には、設定量は紙幣や硬貨の金種毎に予め設定されている。そして、制御部１５は、各リサイクル式紙幣収納部２７や各リサイクル式硬貨収納部３４のうち一の金種に対応する１または複数のリサイクル式紙幣収納部２７やリサイクル式硬貨収納部３４に収納された紙幣や硬貨の量の合計値が、一の金種に対応する設定量に達したときに、引渡連動モードで貨幣の処理を行うようにする。
【００９４】
以下、制御部１５が引渡連動モードで貨幣の処理を行う場合について説明する。この場合、前述のような納金処理を引渡処理と連動して行う。
【００９５】
制御部１５が引渡連動モードで貨幣の処理を行う場合の紙幣処理装置２０における紙幣の納金処理について図６Ａ〜図６Ｃを用いて以下に説明する。
【００９６】
操作者により操作部４５を介して紙幣の納金処理の指令が制御部１５に送られたときにおいて、操作者が紙幣処理装置２０の紙幣投入口２１に紙幣を投入したときには、紙幣投入口２１に投入された紙幣は１枚ずつ搬送部２５により搬送され、識別部２６において紙幣の識別が行われる。図６Ａに示すように、識別部２６により正常な紙幣であると識別され、かつこの紙幣の金種に対応するリサイクル式紙幣収納部２７に収納される紙幣の量が設定量に達していない場合には、この紙幣は搬送部２５により当該紙幣の金種に対応するリサイクル式紙幣収納部２７に送られる。一方、図６Ａに示すように、識別部２６により損券や偽札等のリジェクト紙幣であると識別された場合は、この紙幣は搬送部２５により紙幣リジェクト口２２に送られる。また、識別部２６により識別された紙幣の金種に対応するリサイクル式紙幣収納部２７に収納された紙幣の量が既に設定量に達している場合には、図６Ａに示すように、この紙幣は搬送部２５により紙幣保留部２９に送られる。
【００９７】
その後、以下に示すような引渡処理が自動的に行われる。すなわち、納金処理の後、操作者が何も操作しなくても、各リサイクル式紙幣収納部２７の紙幣は全て紙幣保留部２９に送られて保留される（図６Ｂ参照）。そして、操作部４５における「確定キー」を押すことにより、紙幣保留部２９に保留された紙幣は紙幣収納カセット４１に収納され、引渡処理がなされることとなる（図６Ｃ参照）。
【００９８】
制御部１５が引渡連動モードで貨幣の処理を行う場合の硬貨処理装置３０における硬貨の納金処理でも、上述のような紙幣処理装置２０における紙幣の納金処理と同様に、筐体１１の外部から内部に投入された硬貨が金種別に各リサイクル式硬貨収納部３４内に収納され、その後、操作者が何も操作しなくても、各リサイクル式硬貨収納部３４にある硬貨は全て自動的に貨幣収納部４０の硬貨収納カセット４２に引き渡されることとなる。
【００９９】
以上のように本実施の形態の貨幣処理機１０によれば、紙幣処理装置２０のリサイクル式紙幣収納部２７や硬貨処理装置３０のリサイクル式硬貨収納部３４に収納された紙幣や硬貨の量が予め設定された設定量よりも小さい場合には、納金処理を引渡処理とは独立して行うような引渡非連動モードで紙幣や硬貨の処理を行い、紙幣処理装置２０のリサイクル式紙幣収納部２７や硬貨処理装置３０のリサイクル式硬貨収納部３４に収納された紙幣や硬貨の量が設定量に達したときに、納金処理を引渡処理と連動させて行うような引渡連動モードで貨幣の処理を行うようになっている。
【０１００】
ここで、一の取引において引渡非連動モードのみで紙幣や硬貨の処理を行う場合には、貨幣処理機１０に入金される紙幣や硬貨の量が過多となった際に（具体的には、例えばリサイクル式紙幣収納部２７やリサイクル式硬貨収納部３４が例えば満杯になった際に）、引渡処理が行われるまで紙幣や硬貨をこれ以上貨幣処理機１０に入金することができなくなってしまうという問題がある。一方、一の取引において引渡連動モードのみで紙幣や硬貨の処理を行う場合には、釣銭として出金する紙幣や硬貨の量が過多となった際に、釣銭切れとなってしまうという問題がある。
【０１０１】
これに対して、本実施の形態の貨幣処理機１０では、通常は引渡非連動モードで紙幣や硬貨の処理を行い、紙幣処理装置２０のリサイクル式紙幣収納部２７や硬貨処理装置３０のリサイクル式硬貨収納部３４に収納された紙幣や硬貨の量が予め設定された設定量に達したときに初めて引渡連動モードで紙幣や硬貨の処理を行うので、リサイクル式紙幣収納部２７やリサイクル式硬貨収納部３４が例えば満杯になった場合において紙幣や硬貨をこれ以上貨幣処理機１０に入金することができなくなってしまうことを抑制することができるとともに、釣銭として出金する紙幣や硬貨の量が過多となった場合でも釣銭切れとなってしまうことを抑制することができる。また、本実施の形態の貨幣処理機１０では、紙幣や硬貨をリサイクル式紙幣収納部２７やリサイクル式硬貨収納部３４に収納するか貨幣収納部４０に引き渡すかは取引単位で決められるようになっており、このため一の取引において紙幣や硬貨の搬送先は全て貨幣収納部４０またはリサイクル式紙幣収納部２７やリサイクル式硬貨収納部３４のうちいずれか一方となるので、貨幣処理機１０に不具合が発生した場合であっても筐体１１の内部で搬送部２５、３５により搬送中の紙幣や硬貨がどこに収納されるべき紙幣や硬貨であるかを容易に判断することができるようになる。
【０１０２】
また、本実施の形態の貨幣処理機１０では、紙幣処理装置２０のリサイクル式紙幣収納部２７や硬貨処理装置３０のリサイクル式硬貨収納部３４は第１の管理権限下（店舗側の管理権限下）にあり、貨幣収納部４０は第２の管理権限下（収集特定者側の管理権限下）にある。このため、引渡非連動モードで紙幣や硬貨の処理を行った場合には、筐体１１の外部から内部に投入された紙幣は第１の管理権限下にある。一方、紙幣処理装置２０のリサイクル式紙幣収納部２７や硬貨処理装置３０のリサイクル式硬貨収納部３４に収納された紙幣や硬貨の量が予め設定された設定量に達し、引渡連動モードで紙幣や硬貨の処理を行った場合には、紙幣や硬貨は第１の管理権限下から第２の管理権限下に移されることとなる。
【０１０３】
また、紙幣処理装置２０や硬貨処理装置３０には、リサイクル式紙幣収納部２７やリサイクル式硬貨収納部３４が紙幣や硬貨の金種毎に複数設けられており、筐体１１の外部から内部に取り込まれた紙幣や硬貨は各リサイクル式紙幣収納部２７や各リサイクル式硬貨収納部３４に金種毎に収納されるようになっている。
【０１０４】
本実施の形態の貨幣処理機１０では、制御部１５は、紙幣処理装置２０のリサイクル式紙幣収納部２７や硬貨処理装置３０のリサイクル式硬貨収納部３４に収納された紙幣や硬貨の量がそれぞれ予め設定された設定量よりも小さい場合には引渡非連動モードで紙幣や硬貨の処理を行い、各リサイクル式紙幣収納部２７や各リサイクル式硬貨収納部３４のうち少なくともいずれか１つのリサイクル式紙幣収納部２７やリサイクル式硬貨収納部３４に収納された紙幣や硬貨の量が設定量に達したときに、全ての金種の紙幣や硬貨について引渡連動モードで貨幣の処理を行うよう制御を行うようになっている。
【０１０５】
なお、制御部１５による制御はこのような例に限定されることはなく、各リサイクル式紙幣収納部２７や各リサイクル式硬貨収納部３４のうち少なくともいずれか１つのリサイクル式紙幣収納部２７やリサイクル式硬貨収納部３４に収納された紙幣や硬貨の量が設定量に達したときに、この収納された紙幣や硬貨の量が設定量に達したリサイクル式紙幣収納部２７やリサイクル式硬貨収納部３４に対応する金種の紙幣や硬貨のみについて引渡連動モードで処理を行うよう制御を行うようになっていてもよい。この場合、他の金種の紙幣や硬貨は、引き続き引渡非連動モードで処理が行われることとなる。
【０１０６】
制御部１５による更に他の制御方法について図７Ａ〜図７Ｆを用いて説明する。制御部１５は、以下に示すような貨幣処理機１０の制御を選択的に行うことができるようになっている。
【０１０７】
以下、制御部１５により例えば紙幣処理装置２０において紙幣の入金処理が行われる場合について説明する。
【０１０８】
紙幣処理装置２０における紙幣の入金処理において、操作者が例えば紙幣処理装置２０の紙幣投入口２１に紙幣を投入したときには、紙幣投入口２１に投入された紙幣は図示しない紙幣繰出部により１枚ずつ搬送部２５に繰り出された後、搬送部２５により搬送され、識別部２６において紙幣の識別が行われる。図７Ａに示すように、識別部２６により正常な紙幣であると識別された場合には、この紙幣は搬送部２５により当該紙幣の金種に対応するリサイクル式紙幣収納部２７に送られる。一方、図７Ａに示すように、識別部２６により損券や偽券等のリジェクト紙幣であると識別された場合には、この紙幣は搬送部２５により紙幣リジェクト口２２に送られる。上述のような紙幣の処理が行われる際に、制御部１５は紙幣の識別結果を金種毎に計数して記憶する。このようにして、紙幣の入金処理が行われる。
【０１０９】
また、制御部１５は、上述のような入金処理を行う際に、各リサイクル式紙幣収納部２７に収納された紙幣の量が、紙幣の金種毎に予め設定された設定量を超えると、少なくともこのリサイクル式紙幣収納部２７に対応する金種の紙幣の搬送先をリサイクル式紙幣収納部２７から投出口である紙幣リジェクト口２２に切り替える。ここで、予め設定された設定量は、例えば、各リサイクル式紙幣収納部２７が満杯となるような（スタッカフルとなるような）紙幣の量、または各リサイクル式紙幣収納部２７がほぼ満杯となるような（スタッカニアフルとなるような）紙幣の量のことをいう。なお、設定量はこのような例に限定されることはなく、代わりに、釣銭として必要な紙幣の量や任意の量を設定量としてもよい。また、前述のようにこの設定量は貨幣の金種毎に設定されている。例えば、ある金種の紙幣が２つのリサイクル式紙幣収納部２７に収納されるようになっている場合には、この２つのリサイクル式紙幣収納部２７がそれぞれ満杯となるような（スタッカフルとなるような）紙幣の量、または２つのリサイクル式紙幣収納部２７がそれぞれほぼ満杯となるような（スタッカニアフルとなるような）紙幣の量が、この金種の紙幣の設定量として設定される。設定量は定まった数だけでなく、センサ等により所定の量を検出したときにしてもよい。例えば、テープ巻き取り式の収納部は巻き取り時にテープの端をセンサで検出したときを設定量とすることができる。スタッカ式の収納部では、積み重ねた紙幣の高さが所定値となったときを設定量とすることができる。
【０１１０】
設定量に枚数を用いた場合の例を、図７Ｂを用いてより詳細に説明する。３つのリサイクル式紙幣収納部２７ａ〜２７ｃにそれぞれ千円札、５千円札、１万円札を収納させるようになっている場合において、上述のような入金処理を行う際に、例えば５千円札を収納するリサイクル式紙幣収納部２７ｂがフルまたはニアフル状態となり、このリサイクル式紙幣収納部２７ｂに収納された紙幣の量が予め設定された設定量を超えた場合には、図７Ｂに示すように、紙幣投入口２１から筐体１１の内部に投入され識別部２６により識別された紙幣のうち五千円札は紙幣リジェクト口２２に搬送されるようになる。
【０１１１】
そして、紙幣投入口２１に投入された紙幣が全て筐体１１の内部に送られて識別部２６により計数されると、図７Ｃに示すように、今回の入金処理において各リサイクル式紙幣収納部２７に収納された、計数済の紙幣を、各リサイクル式紙幣収納部２７から搬送部２５に繰り出して紙幣リジェクト口２２に返却する。このことにより、紙幣投入口２１に投入された紙幣は全て一旦紙幣リジェクト口２２に返却されることとなる。
【０１１２】
その後、紙幣投入口２１から筐体１１の内部に投入され識別部２６により計数された紙幣の投入量（Ａ）とリサイクル式紙幣収納部２７に収納されている紙幣の収納量（Ｂ）との和が前述の設定量（Ｃ）を超えるような（すなわち、Ａ＋Ｂ＞Ｃとなるような）金種の紙幣の少なくとも一部を、各リサイクル式紙幣収納部２７から紙幣収納カセット４１に引き渡す引渡処理を行う。より具体的には、上述のような例では、紙幣投入口２１から筐体１１の内部に投入され識別部２６により計数された紙幣の投入量（Ａ）とリサイクル式紙幣収納部２７に収納されている紙幣の収納量（Ｂ）との和が前述の設定量（Ｃ）を超えているのは五千円札である。このため、紙幣投入口２１に投入された紙幣が全て一旦紙幣リジェクト口２２に返却された後、図７Ｄに示すように、リサイクル式紙幣収納部２７ｂに収納された五千円札の一部が搬送部２５により紙幣保留部２９に送られて保留される。その後、紙幣保留部２９に保留された紙幣は自動的に紙幣収納カセット４１に収納され、五千円札について引渡処理がなされる。
【０１１３】
より詳細には、制御部１５は、上述のような引渡処理において、紙幣投入口２１から筐体１１の内部に投入され識別部２６により計数された五千円札の投入量（Ａ）とリサイクル式紙幣収納部２７ｂに収納されている紙幣の収納量（Ｂ）との和から前述の設定量（Ｃ）を減算した量（Ａ＋Ｂ−Ｃ）以上の五千円札を、リサイクル式紙幣収納部２７ｂから紙幣収納カセット４１に引き渡すようになっている。より好ましくは、制御部１５は、上述のような引渡処理において、紙幣投入口２１から筐体１１の内部に投入され識別部２６により計数された五千円札の投入量（Ａ）とリサイクル式紙幣収納部２７ｂに収納されている五千円札の収納量（Ｂ）との和から前述の設定量（Ｃ）を減算した量（Ａ＋Ｂ−Ｃの量）に等しい量の五千円札を、リサイクル式紙幣収納部２７ｂから紙幣収納カセット４１に引き渡すようになっている。
【０１１４】
具体的に説明すると、各リサイクル式紙幣収納部２７の紙幣の収納量が５００枚であり、各金種の紙幣の設定量（Ｃ）が４９０枚であり、紙幣投入口２１から筐体１１の内部に投入され識別部２６により計数された五千円札の投入量（Ａ）が２００枚であり、リサイクル式紙幣収納部２７ｂに収納されている五千円札の収納量（Ｂ）が４００枚である場合には、リサイクル式紙幣収納部２７ｂに収納された４００枚の五千円札のうち１１０枚（＝２００＋４００−４９０）の五千円札が紙幣収納カセット４１に引き渡され、２９０枚の五千円札がリサイクル式紙幣収納部２７ｂに残ることとなる。
【０１１５】
その後、操作者は紙幣リジェクト口２２に返却された紙幣を再び紙幣投入口２１に投入し、図７Ａに示すような紙幣の入金処理を再び行う。この際に、リサイクル式紙幣収納部２７ｂに収納された五千円札の一部が紙幣収納カセット４１に引き渡されているので、２回目の入金処理においてリサイクル式紙幣収納部２７ｂに収納される紙幣の量は設定量と一致するようになる。より具体的には、２回目の入金処理が行われた後にリサイクル式紙幣収納部２７ｂに収納されている五千円札の枚数は４９０枚（＝２９０＋２００）となり、この値は設定量（Ｃ）と一致する。このため、２回目の入金処理が行われた後に、リサイクル式紙幣収納部２７ｂにできる限り多くの紙幣を収納することができるようになる。また、紙幣の入金処理中にリサイクル式紙幣収納部２７ｂがフルまたはニアフルとなっても、２回目の入金処理において入金された紙幣を一括してリサイクル式紙幣収納部２７ｂに収納することができる。
【０１１６】
なお、上述の例では、各リサイクル式紙幣収納部２７にそれぞれ異なる金種の紙幣が収納される態様について説明したが、１つの金種の紙幣が複数のリサイクル式紙幣収納部２７に収納される場合もある。以下、千円札が２つのリサイクル式紙幣収納部２７ａ、２７ｂに収納され、１万円札が残りのリサイクル式紙幣収納部２７ｃに収納されるような態様について、図７Ｅおよび図７Ｆ等を用いて説明する。この場合、千円札に対応する設定量として、２つのリサイクル式紙幣収納部２７ａ、２７ｂを合わせた値、具体的には例えば９８０枚が設定されている。
【０１１７】
１回目の入金処理を行う際に、例えばあるリサイクル式紙幣収納部２７ａにおいて収納された千円札がフルまたはニアフルの状態になると、その後に紙幣投入口２１から筐体１１の内部に投入された千円札は他のリサイクル式紙幣収納部２７ｂに収納されるようになる。その後、このリサイクル式紙幣収納部２７ｂにおいて収納された千円札もフルまたはニアフルの状態となり、これらのリサイクル式紙幣収納部２７ａ、２７ｂに収納された紙幣の合計の枚数が設定量を超えると、図７Ｅに示すように、少なくともこれらのリサイクル式紙幣収納部２７ａ、２７ｂに対応する金種の紙幣、すなわち千円札の搬送先をリサイクル式紙幣収納部２７ａ、２７ｂから紙幣リジェクト口２２に切り替える。
【０１１８】
そして、紙幣投入口２１に投入された紙幣が全て筐体１１の内部に送られて識別部２６により計数されると、図７Ｃに示すように、今回の入金処理において各リサイクル式紙幣収納部２７に収納された、計数済の紙幣を、各リサイクル式紙幣収納部２７から搬送部２５に繰り出して紙幣リジェクト口２２に返却する。このことにより、紙幣投入口２１に投入された紙幣は全て一旦紙幣リジェクト口２２に返却されることとなる。
【０１１９】
その後、紙幣投入口２１から筐体１１の内部に投入され識別部２６により計数された紙幣の投入量（Ａ）とリサイクル式紙幣収納部２７に収納されている紙幣の収納量（Ｂ）との和が前述の設定量（Ｃ）を超えるような（すなわち、Ａ＋Ｂ＞Ｃとなるような）金種の紙幣の一部、すなわち千円札の少なくとも一部を、各リサイクル式紙幣収納部２７ａ、２７ｂから紙幣収納カセット４１に引き渡す引渡処理を行う。より具体的には、紙幣投入口２１に投入された紙幣は全て一旦紙幣リジェクト口２２に返却された後、図７Ｆに示すように、リサイクル式紙幣収納部２７ａ、２７ｂに収納されている千円札の一部が搬送部２５により紙幣保留部２９に送られて保留される。その後、紙幣保留部２９に保留された紙幣は自動的に紙幣収納カセット４１に収納され、千円札について引渡処理がなされる。
【０１２０】
具体的に説明すると、各リサイクル式紙幣収納部２７の紙幣の収納量が５００枚であり、千円札の設定量（Ｃ）が９８０枚であり、紙幣投入口２１から筐体１１の内部に投入され識別部２６により計数された千円札の投入量（Ａ）が８００枚であり、各リサイクル式紙幣収納部２７ａ、２７ｂに収納されている千円札の収納量（Ｂ）がそれぞれ４００枚である場合には、リサイクル式紙幣収納部２７ａ、２７ｂに収納されている合計８００枚の千円札のうち６２０枚（＝８００＋４００＋４００−９８０）の千円札が紙幣収納カセット４１に引き渡される。より詳細には、リサイクル式紙幣収納部２７ａに収納された４００枚の千円札が全て紙幣収納カセット４１に引き渡されるとともに、リサイクル式紙幣収納部２７ｂに収納された４００枚の千円札のうち２２０枚の紙幣が紙幣収納カセット４１に引き渡され、１８０枚の千円札がリサイクル式紙幣収納部２７ａに残ることとなる。
【０１２１】
その後、操作者は紙幣リジェクト口２２に返却された紙幣を再び紙幣投入口２１に投入し、図７Ａに示すような紙幣の入金処理を再び行う。この際に、リサイクル式紙幣収納部２７ａ、２７ｂに収納された千円札の一部が紙幣収納カセット４１に引き渡されているので、２回目の入金処理においてリサイクル式紙幣収納部２７ａ、２７ｂに収納される紙幣の量は設定量と一致するようになる。より具体的には、２回目の入金処理が行われた後にリサイクル式紙幣収納部２７ａ、２７ｂに収納される千円札の枚数はそれぞれ４９０枚となり、これらの値は設定量（Ｃ）と一致する。このため、２回目の入金処理が行われた後に、リサイクル式紙幣収納部２７ａ、２７ｂにできる限り多くの紙幣を収納することができるようになる。また、紙幣の入金処理中にリサイクル式紙幣収納部２７ａ、２７ｂがフルまたはニアフルとなっても、２回目の入金処理において入金された紙幣を一括してリサイクル式紙幣収納部２７ａ、２７ｂに収納することができる。
【０１２２】
以上のように図７Ａ〜図７Ｆに示すような紙幣の処理方法によれば、設定量が紙幣の金種毎に予め設定されており、制御部１５は、筐体１１の外部から内部に投入された紙幣を識別部２６により識別してリサイクル式紙幣収納部２７に収納する入金処理を行う際に、リサイクル式紙幣収納部２７に収納された紙幣の量が予め設定された設定量を超えると、少なくともこのリサイクル式紙幣収納部２７に対応する金種の紙幣の搬送先をリサイクル式紙幣収納部２７から紙幣リジェクト口２２に切り替えるようになっている。そして、制御部１５は、紙幣投入口２１から筐体１１の内部に投入された紙幣の計数終了後に、この入金処理においてリサイクル式紙幣収納部２７に収納された計数済の紙幣を紙幣リジェクト口２２に返却する処理を行う。その後、制御部１５は、紙幣投入口２１から筐体１１の内部に投入され識別部２６により計数された紙幣の投入量とリサイクル式紙幣収納部２７に収納された紙幣の収納量との和が前述の設定量を超えるような金種の紙幣の少なくとも一部を、紙幣収納カセット４１に引き渡す引渡処理を行う。なお、設定量を超えた金種の紙幣の搬送先を紙幣リジェクト口２２としたが、この搬送先を、他の金種のリサイクル式紙幣収納部２７として一時的に保留してもよい。また、返却される紙幣の搬送先である投出口を紙幣保留部２９の紙幣返却口２３としてもよい。また、紙幣投入口２１から紙幣の投出が可能な装置においては、投出口を紙幣投入口２１としてもよい。
【０１２３】
なお、図７Ａ〜図７Ｆに示すような紙幣の処理方法において、制御部１５による制御は、リサイクル式紙幣収納部２７に収納された紙幣の量が設定量を超えると、引渡処理を自動的に行うものに限定されることはない。代わりに、制御部１５は、リサイクル式紙幣収納部２７に収納された紙幣の量が設定量を超えた後、当該制御部１５に対して引渡指令が送られると、引渡処理を行うようになっていてもよい。このとき、引渡しを行う量は上述のように計算され自動的に設定されるため、入力は不要である。さらには、制御部１５は、ある金種の紙幣についてリサイクル式紙幣収納部２７に収納された紙幣の量が設定量を超えたという情報を、コントローラ１２（１７）を介して中央制御装置（現金センター１３やデータセンター１４）に送り、制御部１５は、現金センター１３やデータセンター１４からの引渡指令に基づいて引渡処理を行うようになっていてもよい。
【０１２４】
また、貨幣処理機１０における硬貨処理装置３０も、紙幣処理装置２０における図７Ａ〜図７Ｆに示すような処理方法と同様の処理方法を行うようになっていてもよい。すなわち、硬貨処理装置３０において、設定量が硬貨の金種毎に予め設定されており、制御部１５は、筐体１１の外部から内部に投入された硬貨を識別部３５ａにより識別してリサイクル式硬貨収納部３４に収納する入金処理を行う際に、リサイクル式硬貨収納部３４に収納された硬貨の量が設定量を超えると、少なくともこのリサイクル式硬貨収納部３４に対応する金種の硬貨の搬送先をリサイクル式硬貨収納部３４から投出口である硬貨返却口３２に切り替えるようになっている。そして、制御部１５は、硬貨投入口３１から筐体１１の内部に投入された硬貨の計数終了後に、この入金処理においてリサイクル式硬貨収納部３４に収納された計数済の硬貨を硬貨返却口３２に返却する処理を行う。その後、制御部１５は、硬貨投入口３１から筐体１１の内部に投入され識別部３５ａにより計数された硬貨の投入量とリサイクル式硬貨収納部３４に収納された硬貨の収納量との和が前述の設定量を超えるような金種の硬貨の少なくとも一部を、硬貨収納カセット４２に引き渡す引渡処理を行う。
【０１２５】
また、紙幣処理装置２０と硬貨処理装置３０を組み合わせた場合において、紙幣処理装置２０において１回目の入金処理の終了後に紙幣の返却処理が行われ、リサイクル式紙幣収納部２７から紙幣収納カセット４１への紙幣の引渡処理が行われるのに対し、硬貨処理装置３０において硬貨の入金処理のみが行われるようになっていてもよい。逆に、硬貨処理装置３０において１回目の入金処理の終了後に硬貨の返却処理が行われ、リサイクル式硬貨収納部３４から硬貨収納カセット４２への硬貨の引渡処理が行われるのに対し、紙幣処理装置２０において紙幣の入金処理のみが行われるようになっていてもよい。あるいは、紙幣処理装置２０および硬貨処理装置３０の両方において、紙幣や硬貨の返却処理およびそれに引き続く紙幣や硬貨の引渡処理がそれぞれ行われるようになっていてもよい。
【０１２６】
また、投入される紙幣や硬貨が投入口から筐体内部に投入された後、繰出部により１枚ずつ繰り出されるタイプの投入部を用いた例を示したが、筐体の外に紙幣束やバラ状態の硬貨を置く場所を設け、繰出部により１枚ずつ繰り出された後に投入口から筐体内部に入るタイプの投入部を用いてもよい。
【図１Ａ】
2010107078.tif 000003
【図１Ｂ】
2010107078.tif 000004
【図２】
2010107078.tif 000005
【図３Ａ】
2010107078.tif 000006
【図３Ｂ】
2010107078.tif 000007
【図４】
2010107078.tif 000008
【図５】
2010107078.tif 000009
【図６Ａ】
2010107078.tif 000010
【図６Ｂ】
2010107078.tif 000011
【図６Ｃ】
2010107078.tif 000012
【図７Ａ】
2010107078.tif 000013
【図７Ｂ】
2010107078.tif 000014
【図７Ｃ】
2010107078.tif 000015
【図７Ｄ】
2010107078.tif 000016
【図７Ｅ】
2010107078.tif 000017
【図７Ｆ】
2010107078.tif 000018
【国際調査報告】
2010107078.tif 000019
2010107078.tif 000020